(57)【特許請求の範囲】
【請求項１】
電池の円筒部分が収納される溝部と、前記円筒部分の横の動きを規制するよう前記溝部の一側面側に立設された壁部と、前記壁部に対向した前記溝部の他側面側に、収納された前記電池の前記円筒部分が占める仮想円柱の中に一部分が位置するように設けられた可撓性の電池押圧部材とを有する電池収納部を備え、
前記電池押圧部材は、前記溝部の他側面側に形成された嵌合部に嵌合して固定されるベース部と、先端が前記仮想円柱の中に入るよう前記壁部の側へ傾斜した状態で前記ベース部に立設された電池押圧突起部と、前記電池押圧突起部の前記壁部の側とは反対側にて先端が前記電池押圧突起部よりも突出して形成された押圧解除用突起部とが一体に形成されているマイクロホン装置。
【請求項２】
前記電池押圧部材は、前記溝部に直列に収納される前記電池の当接位置に設置されて隣接する前記電池を同時に押圧する請求項１記載のマイクロホン装置。
【請求項３】
前記電池押圧部材は、軟質エラストマーにより形成された請求項１記載のマイクロホン装置。
【発明の詳細な説明】
【技術分野】
【０００１】
本発明はマイクロホン装置に関し、特に電源として円筒型電池を内蔵したハンドヘルド型のワイヤレスマイクロホン装置に関する。
【背景技術】
【０００２】
ハンドヘルド型のワイヤレスマイクロホン装置は、マイクロホンカプセルによって集音されたオーディオ信号を赤外線または電波の形で出力する送信回路を備え、その電源に円筒型の一次電池または二次電池が使用されている。電池は、電池収納部に収納されるが、その電池収納部は、グリップ部の外ケースに設けられ、電池を装着したり取り出したりする開口部を蓋で覆うようにしたものが知られている（たとえば、特許文献１参照）。これにより、蓋を開けることによって、電池の交換を容易に行うことができるようになっている。また、電池収納部がグリップ部の内部に設けられ、グリップ部の外ケースで覆うようにして使用中に蓋が不用意に開いてしまうのを防止するようにしたマイクロホン装置も知られている（たとえば、特許文献２参照）。
【０００３】
このグリップ部の内部に電池収納部を有するマイクロホン装置は、筒状の外ケースをマイクロホンカプセルが収容された筐体へ螺合により嵌着する構造になっている。電池交換の際には、その筒状の外ケースを回転して筐体から離脱させると、電池収納部が露出するようになっており、電池の着脱が容易にできるようになっている。
【０００４】
ところで、円筒型電池は、その長さおよび直径の寸法が規格で定められているが、その許容公差の範囲内で様々な大きさのものが存在している。そのため、電池収納部は、電池の許容公差の上限値に合わせて形成され、同一規格の電池であれば確実に収納することができるようにしている。このような電池収納部に電池を収納すると、電池収納部と電池との間に隙間ができる場合がある。隙間ができた状態でマイクロホン装置が使用されると、外部から与えられる衝撃または振動により電池が電池収納部の中で暴れて異音が発生したり、電池が電極から瞬間的に外れるなどしてノイズが発生したりすることがある。
【０００５】
そこで、このような電池の暴れを抑制するために、電池収納部に、先端が電池の直径よりも短い距離に離間して設置された一対の爪部材を備え、収納時に電池の円筒部分の側面を両側から保持して電池が動かないようにしたものがある。爪部材は、電池収納部を構成する硬質の材料により一体に形成されているため、電池を収納するときには、電池でその一対の爪部材を押し広げて変形しながら電池収納部に押し込むようにする。なお、電池を取り外すときには、収納されている電池を掴み、一対の爪部材を電池で押し広げて変形しながら電池収納部から引き出すことになる。これにより、マイクロホン装置を強く揺り動かしたとしても、爪部材によって拘束された電池は、電池収納部の中で動いたりすることはないので、異音が発生したりノイズが発生したりすることがない。
【０００６】
また、筒状の電池収納部を有し、その中に、板ばねのような形状の押圧部材が内部に突出するように設けられていて、電池がその押圧部材を電池収納空間の外方に押し出すようにしながら電池を挿入するものもある。電池が筒状の電池収納部に収納されたときには、電池の円筒部分が常に押圧部材によって付勢されているため、電池は、電池収納部の中で拘束され、マイクロホン装置が受ける揺れや衝撃によって動いてしまうことがない。
【先行技術文献】
【特許文献】
【０００７】
【特許文献１】特開平９−１５４１９５号公報
【特許文献２】特開２００７−１６５１２４号公報
【発明の概要】
【発明が解決しようとする課題】
【０００８】
しかしながら、電池収納部に爪部材を備えたマイクロホン装置では、一対の爪部材を電池の円筒部分で無理に押し広げながら電池の着脱を行うため、電池の装着および取出しを容易に行うことができないという問題点があった。
【０００９】
また、筒状の電池収納部の中で電池を押圧している押圧部材を備えたマイクロホン装置では、電池収納部に電池を装着するときは、電池を押し込むだけでよいが、取り出すときにも押圧部材が電池を拘束しているため、取り出しを容易に行うことはできなかった。
【００１０】
本発明はこのような点に鑑みてなされたものであり、電池の装着および取出しを容易に行うことができるマイクロホン装置を提供することを目的とする。
【課題を解決するための手段】
【００１１】
本発明では上記の課題を解決するために、収納された電池を弾性的に保持する機構を有する電池収納部を備えたマイクロホン装置が提供される。その電池収納部は、電池の円筒部分が収納される溝部と、円筒部分の横の動きを規制するよう溝部の一側面側に立設された壁部と、壁部に対向した溝部の他側面側に、収納された電池の円筒部分が占める仮想円柱の中に一部分が位置するように設けられた可撓性の電池押圧部材とを有し、その電池押圧部材は、溝部の他側面側に形成された嵌合部に嵌合して固定されるベース部と、先端が仮想円柱の中に入るよう壁部の側へ傾斜した状態でベース部に立設された電池押圧突起部と、電池押圧突起部の壁部の側とは反対側にて先端が電池押圧突起部よりも突出して形成された押圧解除用突起部とが一体に形成されている。
【００１２】
このようなマイクロホン装置によれば、可撓性の電池押圧部材が収納された電池を弾性的に保持している。これにより、中で電池が動くことがないので、異音が発生したりノイズが発生したりすることがない。また、可撓性を有する電池押圧部材で電池を保持しているため、電池交換を容易にすることができる。
【発明の効果】
【００１３】
上記構成のマイクロホン装置は、可撓性のある電池押圧部材を硬い壁部に対向して設けるだけで電池が弾性的に保持されるので、振動を与えたとしても電池が動いて異音を発生したりノイズが発生したりということが未然に防止できるという利点がある。
【００１４】
また、電池押圧部材は、可撓性があるので、電池を装着したり取り出したりするときに電池によって容易に変形を受けることができることから、電池交換を容易にすることができる。
【図面の簡単な説明】
【００１５】
【図１】ハンドヘルド型のワイヤレスマイクロホン装置の電池交換時の状態を示す斜視図である。
【図２】ワイヤレスマイクロホン装置の電池収納部を示す部分拡大斜視図である。
【図３】ワイヤレスマイクロホン装置の電池収納部を示す断面図である。
【図４】電池押圧部材を示す斜視図である。
【図５】ワイヤレスマイクロホン装置の電池装着状態を示す電池収納部の部分拡大斜視図である。
【図６】ワイヤレスマイクロホン装置の電池装着時における電池収納部を示す断面図である。
【図７】ワイヤレスマイクロホン装置の電池取り出し状態を示す電池収納部の部分拡大斜視図である。
【図８】ワイヤレスマイクロホン装置の電池取り出し時における電池収納部を示す断面図である。
【発明を実施するための形態】
【００１６】
以下、本発明の実施の形態について、２本の電池を直列に収納する電池収納部を備えたハンドヘルド型のワイヤレスマイクロホン装置に適用した場合を例に図面を参照して詳細に説明する。
【００１７】
図１はハンドヘルド型のワイヤレスマイクロホン装置の電池交換時の状態を示す斜視図、図２はワイヤレスマイクロホン装置の電池収納部を示す部分拡大斜視図、図３はワイヤレスマイクロホン装置の電池収納部を示す断面図、図４は電池押圧部材を示す斜視図である。
【００１８】
本実施の形態に係るワイヤレスマイクロホン装置は、図１に示したように、マイクロホンカプセルが収容された筐体１と、この筐体１に固定された電子回路搭載部２と、この電子回路搭載部２を保護する筒状の外ケース３とを備えている。
【００１９】
電子回路搭載部２は、図示しない電子回路基板と、電池収納部４とを備えており、その電池収納部４には、２本の電池５ａ，５ｂが直列に収納されている。電池収納部４は、電池５ａ，５ｂの側部に設けられた壁部６と、電池５ａ，５ｂを挟んで壁部６の対向位置に設けられた電池押圧部材７とを備えている。電池５ａ，５ｂは、これらの当接位置にて、壁部６および電池押圧部材７により同時に挟持され、弾性的に保持されている。
【００２０】
外ケース３は、筒状の形状を有していてワイヤレスマイクロホン装置の使用時に手によって握られるグリップ部を構成している。外ケース３は、その一端部に雌ねじが螺刻されており、筐体１に形成された雄ねじに螺合することによって筐体１に螺着できるようになっている。電池５ａ，５ｂを交換するときには、外ケース３を回転して螺合を解き、電子回路搭載部２に沿って筐体１から離れる方向にスライドさせることにより、図示のように電池収納部４を露出した状態にすることができる。
【００２１】
次に、電池収納部４の詳細な構成について説明する。電池収納部４は、図２および図３に示したように、電池５ａ，５ｂの円筒部分が収納される溝部１１を有している。この溝部１１は、電池５ａ，５ｂの円筒部分の外径よりも多少大きな内径を有する半円の形状に凹設されており、その長手方向に電池５ａ，５ｂが容易に滑動できるようになっている。溝部１１の長手方向両端には、それぞれ電極端子が設けられており、図３には、溝部１１の筐体１とは反対側の端部に設置された正極端子４ａが示されている。
【００２２】
溝部１１の両側部には、筐体１から離れた側に収納される電池５ａの横方向の動きを規制する壁部１２，１３と筐体１の側に収納される電池５ｂの横方向の動きを規制する壁部１４，１５とが立設されている。ここで、壁部１２は、図１に示した壁部６に相当する。なお、壁部１２については、筐体１から電池５ａ，５ｂの長さに相当する位置、すなわち電池収納部４に２本の電池５ａ，５ｂを直列に装着したときに電池５ａ，５ｂが互いに当接する位置を超えて、筐体１の側に延出されている。つまり、壁部１２は、筐体１の側の電池５ｂに対しても、その横方向の動きを規制していることになる。そして、この電池５ａ，５ｂが互いに当接する位置では、壁部１２に対向する壁部１３の並びに電池押圧部材７が設けられている。
【００２３】
この電池押圧部材７は、図４に示すような形状を有し、電池収納部４に設けられた装着孔１６に嵌合することによって電池収納部４に固定されている。電池押圧部材７は、ベース部２１と、この上に立設された押圧解除用突起部２２と、この押圧解除用突起部２２の側面の途中に突設された電池押圧突起部２３とが一体に形成されている。電池押圧突起部２３は、電池押圧部材７が電池収納部４に装着されたときに、溝部１１の長手方向に２つの電池５ａ，５ｂに跨ってこれらを同時に押圧できる長さを有している。電池押圧突起部２３は、また、電池押圧部材７が電池収納部４に装着されたときに、電池５ａ，５ｂの中心よりも高い位置に来るようになっていて、溝部１１および壁部１２に対して電池５ａ，５ｂを斜め上方から押圧するようにしている。ベース部２１は、電池収納部４に設けられた段付きの装着孔１６に嵌合される。
【００２４】
押圧解除用突起部２２は、電池押圧突起部２３のある側に傾斜した形状に形成されており、図３に示したように、電池押圧部材７が電池収納部４に装着されたとき、壁部１２の側に傾斜した形になる。このとき、電池押圧部材７の電池押圧突起部２３は、溝部１１に電池５ａ，５ｂを収納したときにその円筒部分が占める仮想円柱５ｃの中に一部分が位置するようになる。電池押圧部材７は、たとえば軟質エラストマーにより形成されて可撓性を有しており、仮想円柱５ｃの中に入っている部分が溝部１１に電池５ａ，５ｂを収納したときに外方に押し出されて変形される。電池５ａ，５ｂは、その電池押圧部材７の変形に対する復元力で対向の壁部１２に押圧することになる。
【００２５】
図５はワイヤレスマイクロホン装置の電池装着状態を示す電池収納部の部分拡大斜視図、図６はワイヤレスマイクロホン装置の電池装着時における電池収納部を示す断面図、図７はワイヤレスマイクロホン装置の電池取り出し状態を示す電池収納部の部分拡大斜視図、図８はワイヤレスマイクロホン装置の電池取り出し時における電池収納部を示す断面図である。
【００２６】
電池収納部４に電池５ａ，５ｂを装着するときには、図５および図６に示したように、まず、１本目の電池５ａを電池収納部４の溝部１１に落とし込み、その電池５ａを溝部１１に沿って筐体１から離れる方向に押し込む。電池５ａを溝部１１に落とし込むとき、内側に傾斜して設けられている電池押圧部材７の電池押圧突起部２３が電池５ａの落とし込みを邪魔するが、電池押圧部材７が電池５ａによって容易に押し広げられるので、落とし込みの抵抗となることは実質的にない。また、電池５ａを押し込むときにも、電池押圧部材７が電池５ａの円筒部分の側面を押圧しているが、その押圧力および摩擦力は、大きくないので、電池５ａを容易に押し込むことができる。押し込んだ後の電池５ａは、電池押圧部材７および壁部１２によって弾性的に保持された状態を維持する。
【００２７】
続いて、２本目の電池５ｂを装着するとき、図示しない負極端子のばねを撓ませながらそのばねと先に装着した電池５ａとの間の溝部１１に電池５ｂを押し込む。このときも、電池押圧部材７が電池５ｂの落とし込みを邪魔するが、電池押圧部材７が電池５ｂの落とし込みの抵抗となることは実質的にない。
【００２８】
電池５ａ，５ｂが電池収納部４に装着された状態では、電池５ａ，５ｂは、これらに跨って配置された電池押圧部材７により溝部１１および壁部１２の側へ常時押圧され、拘束されていることになる。このため、装着される電池５ａ，５ｂが小さくても、電池収納部４内で自由に動ける隙間がないので、電池収納部４内での電池５ａ，５ｂの揺れが防止され、異音やノイズが発生したりすることもない。
【００２９】
電池収納部４から電池５ａ，５ｂを取り出すときには、まず、電池５ｂを取り出してから電池５ａを取り出すことになる。電池５ｂは、それを指で摘んでそのまま溝部１１から引き出すことによって取り出される。このとき、電池５ｂは、自身で電池押圧部材７を押し広げながら取り出されるが、電池押圧部材７は容易に変形するので、取り出しが困難になることはない。
【００３０】
次に、図７および図８に示したように、電池押圧部材７の押圧解除用突起部２２の先端を指で外側に押し広げ、電池押圧突起部２３による電池５ａへの押圧状態を解除する。その押圧解除状態を維持しながら、筐体１が下になるようマイクロホン装置を傾けると、電池５ａが自重により溝部１１に沿って筐体１の側へ滑落してくる。その後は、上述の電池５ｂの取り出し要領に従って電池５ａを電池収納部４から取り出すことになる。
【００３１】
以上のように、硬い壁部１２の対向位置に可撓性を有する電池押圧部材７を配置するだけで、電池５ａ，５ｂを電池収納部４に装着するときも電池収納部４から取り出すときも容易に行うことができる。しかも、収納された電池５ａ，５ｂは、常時、可撓性を有する電池押圧部材７によって弾性的に保持されて拘束されているので、マイクロホン装置を揺らしても、電池５ａ，５ｂが動いて異音などが発生することもない。
【００３２】
なお、上記の実施の形態では、２本の電池５ａ，５ｂを使用したマイクロホン装置の場合について説明したが、これに限定されるものではない。たとえば１本の電池の場合、対向配置される壁部１２および電池押圧部材７は、溝部１１の長さ方向の中央部に配置すればよい。
【００３３】
また、３本以上の場合には、対向配置される壁部１２および電池押圧部材７は、それぞれ直列接続の電池が揺れによって屈曲され易い相互当接部のそれぞれに設置されるのがよい。この場合、すべての電池押圧部材７は、互いに連動して押圧解除操作を行うことができるリンク機構を備えているとよい。
【産業上の利用可能性】
【００３４】
本発明は、上記のようなハンドヘルド型のワイヤレスマイクロホン装置に限らず、交換が必要な円筒型電池を使用したあらゆる電気・電気装置にも同様に適用することができる。
【符号の説明】
【００３５】
１……筐体、２……電子回路搭載部、３……外ケース、４……電池収納部、４ａ……正極端子、５ａ，５ｂ……電池、５ｃ……仮想円柱、６……壁部、７……電池押圧部材、１１……溝部、１２，１３，１４，１５……壁部、１６……装着孔、２１……ベース部、２２……押圧解除用突起部、２３……電池押圧突起部
【図１】
0005633415.tif 000002
【図２】
0005633415.tif 000003
【図３】
0005633415.tif 000004
【図４】
0005633415.tif 000005
【図５】
0005633415.tif 000006
【図６】
0005633415.tif 000007
【図７】
0005633415.tif 000008
【図８】
0005633415.tif 000009